(57)【特許請求の範囲】
【請求項１】
原稿画像を走査することにより画像情報を出力する画像入力手段と、
原稿画像上に所望領域を指定し、当該領域内外の編集指示入力を行う編集指示入力手段と、
前記編集指示入力手段から入力された編集指示に基づいて編集情報を生成する編集情報生成手段と、
前記編集情報生成手段から出力される色を指定する情報が入力され、前記画像入力手段から入力された前記画像情報を前記色を指定する情報に従って処理する並列接続された複数の画像処理手段と、
前記編集情報生成手段から出力される編集内容を指定する情報に従って前記複数の画像処理手段の１つを選択する選択手段と、
を備え、
前記編集情報生成手段は、編集領域の１画素毎に前記編集内容と前記色を指定する情報を出力し、前記選択手段により選択されたカラー画像データに基づいて複数色の基本色の重ね印字により画像を出力させることを特徴とするカラー画像編集処理装置。
【請求項２】
前記複数の画像処理手段の一部が直列に接続されていることを特徴とする請求項１記載のカラー画像編集処理装置。
【請求項３】
前記複数の画像処理手段の一部の直列の順序を切り換えることを特徴とする請求項２記載のカラー画像編集処理装置。
【発明の詳細な説明】
【０００１】
【発明の属する技術分野】
本発明は、カラー画像に対して指定された編集領域の内外の画像の色変換、塗りつぶし等の複数の画像編集処理を行うカラー画像編集処理装置に関する。
【０００２】
【従来の技術】
従来、この種のカラー画像編集処理装置としては、例えば特公平７−１０１９１７号公報の図１、図５に示すように、複数の画像編集処理部を直列に接続して各段の編集画像データを順次転送すると共に、領域指定信号を初段から最終段の画像編集処理部まで順次転送するように構成されている。
【０００３】
【発明が解決しようとする課題】
しかしながら、上記従来のカラー画像編集処理装置では、直列に接続された画像編集処理部の初段から最終段まで順次、画像データと領域指定信号を送るので、各画像編集処理部における画像データと領域指定信号のディレイ量を調整するための調整回路の規模が後段になるほど大きくなるという問題点がある。
【０００４】
本発明は上記従来の問題点に鑑み、画像データと領域指定信号のディレイ量を調整するための回路規模が増大することを防止することができると共に、本来組み合わせることができないような種々の画像処理を実現することが可能なカラー画像編集処理装置を提供することを目的とする。
【０００５】
【課題を解決するための手段】
第１の手段は上記目的を達成するために、原稿画像を走査することにより画像情報を出力する画像入力手段と、原稿画像上に所望領域を指定し、当該領域内外の編集指示入力を行う編集指示入力手段と、前記編集指示入力手段から入力された編集指示に基づいて編集情報を生成する編集情報生成手段と、前記編集情報生成手段から出力される色を指定する情報が入力され、前記画像入力手段から入力された前記画像情報を前記色を指定する情報に従って処理する並列接続された複数の画像処理手段と、前記編集情報生成手段から出力される編集内容を指定する情報に従って前記複数の画像処理手段の１つを選択する選択手段とを備え、前記編集情報生成手段は、編集領域の１画素毎に前記編集内容と前記色を指定する情報を出力し、前記選択手段により選択されたカラー画像データに基づいて複数色の基本色の重ね印字により画像を出力させることを特徴とする。
【０００７】
第２の手段は、第１の手段において前記複数の画像処理手段の一部が直列に接続されていることを特徴とする。
【０００８】
第３の手段は、第２の手段において前記複数の画像処理手段の一部の直列の順序を切り換えることを特徴とする。
【０００９】
【発明の実施の形態】
以下、図面を参照して本発明の実施の形態を説明する。図１は本発明に係るカラー画像編集処理装置の一実施形態を示すブロック図、図２は図１の画像処理部の処理内容を示す説明図、図３は図１の編集情報生成部により生成される編集情報を示す説明図、図４は図３の機能コードの内容を示す説明図、図５は図３の指定色コードの内容を示す説明図、図６はペイント処理とシングルカラー処理を組み合わせる場合の処理を示す説明図である。
【００１０】
図１において、画像入力部１０は原稿画像を読み取ってその画像データを画像処理部１１〜１４に出力する。図２に示すように画像処理部１１は入力画像データに対して画像処理を行うことなくそのまま出力し、画像処理部１２は入力画像データに対して指定色を加算するアンダーカラー処理を行い、画像処理部１３は入力画像データを指定色データに置き換えるペイント（塗り潰し）処理を行い、画像処理部１４は入力画像データを輝度信号に置き換えて指定色で着色するシングルカラー処理を行う。
【００１１】
編集指示入力部１７は画像処理部１２〜１４が各画像処理を行う編集領域と、編集内容と色をオペレータが原稿上で指定可能に構成されている。なお、編集指示入力部１７の具体例としては、前述した特公平７−１０１９１７号公報の他、特開昭６２−１８１５７０号公報、特開昭６４−１３６９号公報、特開昭６４−８４９７７号公報等に示されている。
【００１２】
編集情報生成部１８は編集指示入力部１７を介して編集内容と編集領域と色が指定されると、編集領域の１画素毎に図３に示すように編集内容を指定する２ビットの機能コードを選択部１５に出力すると共に、３ビットの指定色コードを画像処理部１２〜１４を出力する。２ビットの機能コードは図４に示すように、
００：無処理（画像処理部１１）
０１：アンダーカラー（画像処理部１２）
１０：ペイント（画像処理部１３）
１１：シングルカラー（画像処理部１４）
を示し、３ビットの指定色コードは図５に示すように、
０００：白
００１：イエロー（Ｙ）
０１０：マゼンタ（Ｍ）
０１１：シアン（Ｃ）
１００：黒（Ｋ）
１０１：赤（Ｒ）
１１０：緑（Ｇ）
１１１：青（Ｂ）
を示す。
【００１３】
画像処理部１２〜１４の各々は、画像入力部１０からの入力画像データをこの指定コードに基づいて画素毎に各画像処理を並行して行って選択部１５に出力し、また、画像処理部１１は画像入力部１０からの入力画像データをそのまま選択部１５に出力する。選択部１５は機能コードに基づいて画像処理部１１〜１４からの画像データの１つを選択し、画像出力部１６に出力する。
【００１４】
画像出力部１６はＹ、Ｍ、Ｃ、Ｋの４色の画像データを重ねることにより画像を記録紙に記録する。この場合、画像入力部１０が原稿を１回読み取るのに同期して画像出力部１６が１色分の画像形成を行い、したがって、画像入力部１０が原稿を４回読み取ると、画像処理部１１〜１４により処理された画像が１枚の記録紙上に記録される。ここで、画像出力部１６により形成される画像の色が変わる場合、編集情報生成部１８が毎回同じ編集情報を出力すると、指定領域では１つの画像処理しか行われない。
【００１５】
次に、指定領域において複数の画像処理を行う場合について説明する。図６は一例としてペイント処理（画像処理部１３）とシングルカラー処理（画像処理部１４）を組み合わせる場合を示している。先ず、画像出力部１６がＫを印字する時には指定領域内にイエローのペイントが行われ、次いで、Ｍを印字する時には指定領域内にマゼンタのシングルカラー処理が行われる。次いで、ＣとＫを印字する時には指定領域内に白のペイント処理、すなわち何も印字しない（塗らない）処理が行われる。これにより、指定領域にはイエローが塗られ、次いでマゼンタのシングルカラー処理画像が重ねられるので、ペイント処理とシングルカラー処理を組み合わせることができる。
【００１６】
次に、図７及び図８を参照して第２の実施形態について説明する。図７において画像入力部１０は画像データを無処理の画像処理部１１ａと、シングルカラー処理を行う画像処理部１４と、ペイント処理を行う画像処理部１３の３つに出力する。画像処理部１１ａと画像処理部１４の処理データは選択部１５ａにより選択され、無処理の画像処理部１１ｂとアンダーカラー処理を行う画像処理部１２の２つに出力される。この画像処理部１１ｂ、１２及び１３の処理データは選択部１５ｂにより選択され、画像出力部１６に出力される。
【００１７】
編集情報生成部１８’は図８に示すように、２ビットの機能コードｂ８、ｂ７と、１ビットの組み合わせフラグｂ６と、３ビットの第１の指定色コードｂ５〜ｂ３と、同じく３ビットの第２の指定色コードｂ２〜ｂ０を出力する。機能コードｂ８、ｂ７は選択部１５ｂに印加され、組み合わせフラグｂ６は選択部１５ａに印加され、第１の指定色コードｂ５〜ｂ３は画像処理部１４、１３に印加され、第２の指定色コードｂ２〜ｂ０は画像処理部１２に印加される。
【００１８】
機能コードｂ８、ｂ７及び組み合わせフラグｂ６は
０００：無処理
００１：シングルカラーのみ
０１０：アンダーカラーのみ
０１１：シングルカラーとアンダーカラーの組み合わせ
１０Ｘ：ペイント（Ｘはドントケア）
を示す。第１、第２の指定色コードｂ５〜ｂ３、ｂ２〜ｂ０は共に図５に示す第１の実施形態と同一であるが、第１の指定色コードｂ５〜ｂ３はシングルカラーとペイントの色を示し、第２の指定色コードｂ２〜ｂ０はアンダーカラーの色を示す。したがって、図７に示す構成によれば、画像処理部１４、１２が直列に接続されているので、シングルカラーとアンダーカラーを組み合わせることができる。
【００１９】
また、この第２の実施形態では、画像処理部１４、１２が直列に接続されているので、アンダーカラーとペイントの色を独立して指定することができるが、その濃度も同様に独立して指定することができる。このとき、第１の実施形態の図６の示す場合と同様に、
Ｙ印字時：イエローのペイント
Ｍ印字時：マゼンタのシングルカラー
Ｃ，Ｋ印字時：白のペイント
を行う場合、イエローのペイント濃度が異なるように指定すると、異なる編集結果を得ることができる。
【００２０】
また、図７に示す例では、無処理、シングルカラー及びペイントの各画像処理回路１１ａ、１４、１３が並列であり、無処理及びアンダーカラーの各画像処理回路１１ｂ、１２が並列であり、無処理及びシングルカラーの各画像処理回路１１ａ、１４と無処理及びアンダーカラーの各画像処理回路１１ｂ、１２が直列であるが、セレクタを用いて各画像処理回路の直列の接続順序を切り換えることにより２以上の画像処理を組み合わせることができる。
【００２１】
【発明の効果】
以上説明したように本発明によれば、複数の画像処理手段が並列に接続され、編集領域の１画素毎に前記編集内容と前記色を指定する情報を出力するので、画像データと領域指定信号のディレイ量を調整するための回路規模の増大を防止することができると共に、各基準色の印字毎に、画像処理の指定色と指定画像処理を変化させることが可能となり、本来組み合わせることができないような種々の画像処理を実現することができる。
【００２３】
また、本発明によれば、複数の画像処理手段の一部が直列に接続されているので、画像処理の組み合わせを増加させることができる。
【００２４】
更に、本発明によれば、複数の画像処理手段の一部の直列の順序を切り換えるので、更に画像処理の組み合わせを増加させることができる。
【図面の簡単な説明】
【図１】本発明に係るカラー画像編集処理装置の一実施形態を示すブロック図である。
【図２】図１の画像処理部の処理内容を示す説明図である。
【図３】図１の編集情報生成部により生成される編集情報を示す説明図である。
【図４】図３の機能コードの内容を示す説明図である。
【図５】図３の指定色コードの内容を示す説明図である。
【図６】ペイント処理とシングルカラー処理を組み合わせる場合の処理を示す説明図である。
【図７】第２の実施形態のカラー画像編集処理装置を示すブロック図である。
【図８】図７のカラー画像編集処理装置の編集情報と編集内容を示す説明図である。
【符号の説明】
１１，１１ａ，１１ｂ，１２〜１４  画像処理部
１５，１５ａ，１５ｂ  選択部
１６  画像出力部
１７  画像指示入力部
１８，１８’  編集情報生成部
【図１】
0003681499.tif 000002
【図２】
0003681499.tif 000003
【図３】
0003681499.tif 000004
【図４】
0003681499.tif 000005
【図５】
0003681499.tif 000006
【図６】
0003681499.tif 000007
【図７】
0003681499.tif 000008
【図８】
0003681499.tif 000009